(57)【要約】【課題】合成樹脂製のカム筒に少なくとも３つのカム溝あるいはカム突条を設けることによって、コンパクトで、部品点数が少なく簡易な構造で確実に作動する構成のズームレンズを提供すること。【解決手段】固定筒と、該固定筒の外側に配置され、被写体側第１群レンズ用の突状カムと、第２群レンズ以降の少なくとも２つの群レンズ用の少なくとも２つのカム溝とを形成した合成樹脂製のカム筒と、を有することを特徴とするズームレンズである。【選択図】図１
2010055124.tif 000002
【特許請求の範囲】
【請求項１】
固定筒と、
該固定筒の外側に配置され、被写体側第１群レンズ用の突状カムと、第２群レンズ以降の少なくとも２つの群レンズ用の少なくとも２つのカム溝とを形成した合成樹脂製のカム筒と、
を有することを特徴とするズームレンズ。
【請求項２】
前記第１群レンズの保持筒が、前記カム筒の外側に配置されていることを特徴とする請求項１に記載のズームレンズ。
【請求項３】
前記１群レンズが合焦レンズであることを特徴とする請求項１に記載のズームレンズ。
【請求項４】
前記第１群レンズ用のカムが前記カム筒の外側に設けた突条カムであり、第２群レンズ以降の少なくとも２つの群レンズ用のカムがカム溝であることを特徴とする請求項１に記載のズームレンズ。
【請求項５】
前記カム溝が、角度位相が同一であることを特徴とする請求項１に記載のズームレンズ。
【発明の詳細な説明】
【技術分野】
【０００１】
本発明は、ズームレンズ、さらに詳しくは第１群レンズ及び第２群レンズ以降の少なくとも２群の群レンズを移動させる少なくとも二つのカムを一個のカム筒に形成することができるズームレンズに関する。
【背景技術】
【０００２】
ズームレンズ鏡筒のカム部材を合成樹脂で成形する技術において、カムフォロアをカムに面接触させることにより、両者の耐衝撃性を高めることを目的とするものである（例えば、特許文献１参照）。
また、ズームレンズの合成樹脂製のズーム操作部材に、カム機構のカムあるいはカムフォロアを一体に設けた構成が提案されている（例えば、特許文献２参照）。
【０００３】
他のズームレンズにおいて、第１群レンズ用カムを移動枠体筒に設け、ズーム操作環の内周面側に第１群レンズ用カムフォロア及び第２群レンズ用カムを設けたズームレンズが提案されている（例えば、特許文献３参照）を開示している。
他のズームレンズにおいては、光軸方向に型抜きする成形凸カムの両面にカム面を設けた凸カム環を有するズームレンズに関し、固定側型により形成されるカム面と可動側型により形成されたカム面の間に該カム面のリフト量に沿ってパーテイングラインを設ける構成が開示されている（例えば、特許文献４参照）。
【先行技術文献】
【特許文献】
【０００４】
【特許文献１】特開平４−１０４１１２号
【特許文献２】特開平９−２０３８５０号
【特許文献３】特開平９−２０３８５１号
【特許文献４】特許第２７７３５８６号
【発明の概要】
【発明が解決しようとする課題】
【０００５】
従来のこれらのズームレンズにおいては、一つのカム筒に一つあるいは二つのカム溝あるいはカム突条を設けることによってある程度のコンパクト化を実現しているが、よりコンパクトで部品点数の少ない簡易な構造で確実に作動する構成のズームレンズが要望されている。
【０００６】
（発明の目的）
本発明は上述した課題に鑑みてなされたものであって、合成樹脂製のカム筒に少なくとも３つのカム溝あるいはカム突条を設けることによって、コンパクトで、部品点数が少なく簡易な構造で確実に作動する構成のズームレンズを提供することを目的とする。
【課題を解決するための手段】
【０００７】
本発明は、
固定筒と、
該固定筒の外側に配置され、被写体側第１群レンズ用の突状カムと、第２群レンズ以降の少なくとも２つの群レンズ用の少なくとも２つのカム溝とを形成した合成樹脂製のカム筒と、
を有することを特徴とするズームレンズである。
【０００８】
本発明の実施態様は以下のとおりである。
前記第１群レンズの保持筒が、前記カム筒の外側に配置されていることを特徴とする。
前記１群レンズが合焦レンズであることを特徴とする。
前記第１群レンズ用のカムが前記カム筒の外側に設けた突条カムであり、第２群レンズ以降の少なくとも２つの群レンズ用のカムがカム溝であることを特徴とする。
前記カム溝が、角度位相が同一であることを特徴とする。
【発明の効果】
【０００９】
本発明によれば、合成樹脂製のカム筒に少なくとも３つのカム溝あるいはカム突条を設けることによって、コンパクトで、部品点数が少なく簡易な構造で確実に作動する構成のズームレンズを構成することができる効果を有する。
【図面の簡単な説明】
【００１０】
【図１】本発明の実施形態のズームレンズのワイド状態の断面図である。
【図２】本発明の実施形態のズームレンズのテレ状態の断面図である。
【図３】本発明の実施形態のズームレンズのカム筒の斜視図である。
【発明を実施するための形態】
【００１１】
次に、添付図面に基づいて、発明の実施の形態を詳細に説明する。図１は本発明の実施形態のズームレンズのワイド状態の断面図であり、図２は同じくテレ状態のズームレンズの断面図である。レンズ系は、正のパワーで合焦のための第１群レンズ１０、負のパワーの第２群レンズ１２、及び正のパワーの第３群レンズ１４からなる。
【００１２】
ズームレンズ鏡筒２０は、複数の概ね筒形状の部材を有しており、内側より順に、マウント部２４に固着され第２群レンズ１２及び第３群レンズ１４を光軸Ｏと平行に案内する第１固定筒２２、第１固定筒２２の外面を摺動するカム筒２６、第１固定筒２２の外面を摺動する第１群レンズ筒２８、マウント部２４に固着された後述の第２固定筒３０の外面を回動摺動する合焦操作環４０、該第２固定筒３０、第２固定筒３０の外面を合焦操作環４０より後方で回転摺動するズーム操作環４４を有する。ズーム操作環４４は後方すなわちマウント部２４側でカム筒２６に連結されて両者は一体で光軸Ｏを中心に回転する。
【００１３】
第１固定筒２２は、第２群レンズ１２及び第３群レンズ１４が共通に使用する第２第３直進溝５４を有し、また前方端には第１直進コマ８０を有する。第１直進コマ８０は第１群レンズ筒２８の内面に設けられた第１直進溝８２に係合する。合成樹脂の成形品であるカム筒２６は、図３に示すように、断面が直方体の第１群レンズ突条カム６０、光軸Ｏからの放射方向において先広がり形の断面を持つ第２群レンズカム溝６２、及び光軸Ｏからの放射方向において一定の幅を持つ第３群レンズカム溝６４を有する。
【００１４】
第１群レンズ１０の第１群レンズ保持枠７０を支持する第１群レンズ筒２８は、ヘリコイド内側筒９０と、これと外側で螺合し第１群レンズ保持枠７０を取り付けられたヘリコイド外側筒９２とからなる。ヘリコイド内側筒９０には、図２に示すように、第１固定筒２２に固着されてカム筒２６を超えてカム筒２６より前方外側へ延びた第１直進コマ８０が係合する第１直進溝８２が設けられている。ヘリコイド外側筒９２は、その後方において合焦操作環４０に合焦回転部材（図示せず）を介して連結され、第２固定筒３０に対し光軸Ｏ方向に摺動可能であり、かつ合焦操作環４０の回転運動が伝達されるように係合している。
【００１５】
第１群レンズ筒２８は、そのヘイリコイド内側筒９０に第１群レンズ突条カム６０と係合するカムフォロア９３を有する。第２群レンズ１２を保持する第２群保持枠１０２は、第２群レンズカム溝６２及び第２第３直進溝５４内を摺動し、逆円錐形部を有する第２群レンズコマ１０４を有する。第３群レンズ１４を保持する第３群保持枠１１０は、第３群レンズカム溝６４及び第２第３直進溝５４内を摺動する円筒形の第３群レンズコマ１１２を有する。
【００１６】
次に、上述した構成のズームレンズの作動について説明する。ズーム作動は、ズーム操作環４４を回動し、第１固定筒２２上でカム筒２６を回動させる。カム筒２６が回転すると、第１直進コマ８０と第一直進溝８２の係合によって回動を規制された第１群レンズ筒２８は、第１群レンズ突条カム６０とカムフォロア９３との係合により光軸Ｏに沿ってカム移動する。第２群レンズコマ１０４が第２第３直進溝５４に係合することによって回動を規制された第２群レンズ保持枠１０２は、第２群レンズコマ１０４と第２群レンズカム溝６２との係合によって光軸Ｏに沿ってカム移動する。さらに、第３群レンズコマ１１２が第２第３直進溝５４に係合することによって回動を規制された第３群レンズ保持枠１１０は、第３群レンズコマ１１２と第３群レンズカム溝６４との係合によって光軸Ｏに沿ってカム移動する。このようにしてズーム作動が行われる。
【００１７】
合焦作動は、合焦作動環４０を回動し、合焦回転部材（図示せず）を介してヘリコイド外側筒９２を回動させる。一方、ヘリコイド内側筒９０は第１固定筒２２に取り付けられた第１直進コマ８０と第１直進溝８２とによって回動が規制されており、ヘイコイド内側筒９０とヘリコイド外側筒９２の螺合におけるヘリコイド外側筒９２の回動によって第１群レンズ保持枠７０を支持しているヘリコイド外側筒９２が光軸Ｏに沿ってカム移動する。このようにして合焦作動が行われる。
【符号の説明】
【００１８】
Ｏ              光軸
１０            第１群レンズ
１２            第２群レンズ
１４            第３群レンズ
２１            ズームレンズ鏡筒
２２            第１固定筒
２６            カム筒
２８            第１群レンズ筒２８
３０            第２固定筒
４０            合焦操作環
４４            ズーム操作環
５４            第２第３直進溝
６０            第１群レンズ突条カム
６２            第２群レンズカム溝
６４            第３群レンズカム溝
７０            第１群レンズ保持枠
８０            第１直進コマ
８２            第１直進溝
９０            ヘリコイド内側筒
９２            ヘリコイド外側筒
９３            カムフォロア
１０２          第２群保持枠
【図１】
2010055124.tif 000003
【図２】
2010055124.tif 000004
【図３】
2010055124.tif 000005